(57)【要約】カスタマイズ可能な宝飾品アイテム１０は、密接に隣接する複数の異なる装飾品格納位置を画定する複数の開口２０を含むグリッド１８と、複数の開口２０のうちの選択された１つ１つに装飾品２２のピン２６を取り外し可能に保持するのに適した取り付け手段３０とを含む。これによって、取り付け手段３０に複数の装飾品２２が取り付けられると、取り外し可能な装飾品２２の集合体が形成される。
2018509271.tif 000002
【特許請求の範囲】
【請求項１】
カスタマイズ可能な宝飾品アイテムであって、密接に隣接する複数の異なる装飾品格納位置を画定する複数の開口を有するグリッドと、該複数の開口のうちの選択された１つ１つに装飾品のピンを取り外し可能に保持するのに適した取り付け手段とを含み、該取り付け手段に複数の装飾品が取り付けられると取り外し可能な装飾品の集合体が形成される、アイテム。
【請求項２】
前記取り付け手段が、前記グリッドの下にもたらされ前記複数の開口にわたる弾性材料の層を含み、これによって該弾性材料の層が、装飾品のピンを受けるように配置され、該ピンが、前記弾性材料に挿入されると、前記ピンと前記弾性材料との間の摩擦接触によって保持される、請求項１に記載のアイテム。
【請求項３】
前記複数の装飾品格納位置がもたらされる前記グリッドを実質的に囲繞する直立した外縁壁を含む、請求項１または２に記載のアイテム。
【請求項４】
前記壁が、該壁の内面に配置される、前記グリッドを受容するためのくぼんだ溝を含む、請求項３に記載のアイテム。
【請求項５】
前記壁が、前記グリッドの装着のための１つまたは複数のフランジを含む、請求項４に記載のアイテム。
【請求項６】
ヘッドと、該ヘッドから突出する、前記取り付け手段への取り外し可能な取り付けのためのピンとを組み込んだ、複数の装飾品をさらに含む、請求項１から５のいずれか一項に記載のアイテム。
【請求項７】
前記ピンが、バーブを含む、請求項６に記載のアイテム。
【請求項８】
前記弾性材料が、粘弾性材料を含む、請求項２に記載のアイテム。
【請求項９】
前記アイテムが、該アイテムの最下端に対して異なる高さに配置される複数のグリッドを含む、請求項１から８のいずれか一項に記載のアイテム。
【請求項１０】
前記グリッドが、ドーム形である、請求項１から９のいずれか一項に記載のアイテム。
【請求項１１】
実質的に、添付の本文および／または図面を適切に組み合わせて本明細書において上述および／または図示したような宝飾品アイテム。
【発明の詳細な説明】
【技術分野】
【０００１】
本発明は、複数の装飾品と組み合わせてもたらされることのできる、カスタマイズ可能な宝飾品アイテムに関するものである。
【背景技術】
【０００２】
宝飾品アイテムは、しばしば、宝飾品製造業者によって選択されるような特定のデザインにて大量生産される。しかし、これらの大量生産のアイテムは、独自ではなく、誰もがそれらのアイテムに使われるデザインを好むわけではない。大量生産に代わる手段として、１品限りの宝飾品アイテムを特注する、または、他に、１品限りの宝飾品アイテムを個人の望む独自なものによってハンドメイドすることもできる。しかし、特注アイテムは購入するのに高価である場合があり、ハンドメイドアイテムは、技術のない個人が組み立てるには難しい場合がある。さらに、宝飾品アイテムは、しばしば、金属材料またはプラスチック材料を一時的に溶融させるまたは軟化させることによって作製されるが、これは、面倒で時間のかかるプロセスであり、一旦組み立てたら、出来上がった宝飾品アイテムを簡単に変えることができない。
【０００３】
特許文献１（ＹＡＳＵＯ）には、イヤリングなどのアクセサリーを挿入することができる管孔を有する眼鏡フレームが示されている。
【０００４】
特許文献２（ＨＯＷＥＬＬ）は、１つまたは複数の組み立てチャームを保持するＩＤカードホルダを提供する。
【０００５】
特許文献３（ＳＥＣＫＬＥＲら）は、単一オーナメントを取り付けるための単一締結部材を含むビーチサンダルを提供する。
【０００６】
特許文献４（ＷＡＲＲＥＮ）は、財布またはハンドバッグなどのアクセサリーに後で取り付けられ得る据え付け部に１つまたは複数の宝石が連結され得る、飾り付けシステムを提供する。
【０００７】
特許文献５（ＭＥＬＴＺＥＲ）は、宝飾品アイテムにオーナメントビーズを飾るための取り付け具を提供する。
【０００８】
特許文献６（ＷＩＬＣＯＸ）は、チャームを衣類品または動物の首輪に連結するためのチャームおよび締結システムを提供する。
【０００９】
特許文献７（ＣＨＥＩＮ）は、ＬＥＤ装飾要素を履物に取り付けるためのシステムを提供する。
【００１０】
特許文献８（ＨＩＬＬ）は、ファッションアイテムから着脱可能な装飾品であって、さらなるオーナメントに取り外し可能に締結され得る土台を有する、装飾品を提供する。
【００１１】
特許文献９（ＰＡＹＮＥ）は、使用者が、相互交換可能な少なくとも１つの飾りを締結構成要素によってベースアクセサリーに取り付けることができる、アクセサリーシステムを提供する。
【００１２】
特許文献１０（ＢＵＤＩＮＧＥＲ）は、２つ以上の鋲部品に締結され得るバッジ部品を提供する。
【先行技術文献】
【特許文献】
【００１３】
【特許文献１】特開２００６−３０９０９９号公報
【特許文献２】米国特許出願公開第２０１０／０３１５４７号明細書
【特許文献３】米国特許出願公開第２０１０／０１１６２３号明細書
【特許文献４】米国特許出願公開第２０１４／３５２８５７号明細書
【特許文献５】米国特許出願公開第２０１１／１３２０３６号明細書
【特許文献６】米国特許出願公開第２００８／１５５７８８号明細書
【特許文献７】米国特許出願公開第２００６／００７６６８号明細書
【特許文献８】米国特許出願公開第２０１３／０４２３９１号明細書
【特許文献９】米国特許出願公開第２０１２／１１８３１７号明細書
【特許文献１０】オーストラリア特許第２０１３１００１５０号
【発明の概要】
【課題を解決するための手段】
【００１４】
第１の広範な独立態様において、本発明は、カスタマイズ可能な宝飾品アイテムであって、密接に隣接する複数の異なる装飾品格納位置を画定する複数の開口を含むグリッドと、前記複数の開口のうちの選択された１つ１つに装飾品のピンを取り外し可能に保持するのに適した取り付け手段とを含み、前記取り付け手段に複数の装飾品が取り付けられると取り外し可能な装飾品の集合体が形成される、アイテムを提供する。
【００１５】
この構成は、プロの宝石職人の必要をなくして、使用者が、自分の宝飾品アイテムを自らの個人的な選択において簡単かつ効率よくカスタマイズすることができるので、有利である。これは、様々な装飾品を容易に追加することができる相互連結ウェブとしてのグリッドを使用することによって、同じ宝飾品アイテムから多数の異なるデザインを得ることができることを意味する。宝飾品アイテムは、価値の高い壊れ易いものであっても、感傷をそそるものであってもよい。したがって、装飾品は、取り外し可能でありながらも、紛失および損傷の両方を防ぐように取り付け手段によって固定され得ることが、非常に有利である。開口は、装飾品が保持され間隔を置いて配置される予め決められた空間をもたらす。したがって、装置は、特に頑丈であり普通の衣類の特定の状況において起こることがある多種多様な取り外し力に耐えることができる。
【００１６】
従属的な一態様において、前記取り付け手段は、前記グリッドの下にもたらされ前記複数の開口にわたる弾性材料の層を含む。これによって、前記弾性材料の層は、装飾品のピンを受けるように配置される。ピンは、弾性材料に挿入されると、ピンと弾性材料との間の摩擦接触によって保持される。
【００１７】
この構成は、損傷の可能性を最小限に抑えながら装飾品をグリッド内に保持する手段を提供し、使用者が装飾品の交換のためにプロの宝石職人のところにアイテムを持っていく必要がないので、特に有利である。この材料の使用は、損傷を引き起こす恐れのある不必要な動きを止めるように装飾品のピンを保持するのに十分に安定しているだけでなく、装飾品のピンの楽な挿入および取り外しを可能にするように十分な度合いの可撓性を有する保持手段を提供する。
【００１８】
さらなる従属的な一態様において、アイテムは、複数の装飾品格納位置がもたらされるグリッドを実質的に囲繞する直立した外縁壁を含む。
【００１９】
この構成は、装飾品にしっかりとした囲繞をもたらし、装飾品がぶつけられてもグリッドから滑り出て落ちないようにすることができる保護層を追加するので、特に有利である。これは、いかなる美的魅力も損なわずに、装飾品を安定したままにする追加の保護層をもたらす。
【００２０】
さらなる従属的な一態様において、壁は、前記壁の内面に配置される、前記グリッドを受容するためのくぼんだ溝を含む。
【００２１】
この構成は、内壁へのグリッドの簡単な連結方法を提供するので、特に有利である。これは、損傷または別の状況により必要に応じてグリッドを交換することができ、したがって使用者は同じ壁の設定を保つことができることを意味する。くぼんだ溝は、装飾品が挿入されるまたは取り外されるときにグリッドが持ち上げられるまたは押し下げられることを防ぐことによって特に確実であり、常に、特にアイテムが着用される間、グリッドを所定位置に留めることを確実にする。
【００２２】
さらなる従属的な一態様において、壁は、前記グリッドの装着のための１つまたは複数のフランジを含む。
【００２３】
この構成は、装飾品がグリッドに挿入されるときでも取り外されるときでもグリッドを所定位置に保持するようにフランジが追加の強度をもたらすことになるので、特に有利である。
【００２４】
さらなる従属的な一態様において、アイテムは、ヘッドと、前記ヘッドから突出する、前記取り付け手段への取り外し可能な取り付けのためのピンとを組み込んだ、複数の装飾品をさらに含む。
【００２５】
この構成は、所有者が適宜選択できるようにデザインを変えることができる宝飾品アイテムを作製するモデルを提供するので、特に有利である。装飾品は、突出するピンが見えなくなりヘッドが見えたままになるように、グリッドから下に挿入され得る。ピンは、恒久的ではないやり方でグリッドに挿入され保持され得るので、装飾品を代替の装飾品に交換するのに簡単に取り外すことができる。
【００２６】
さらなる従属的な一態様において、前記ピンは、バーブを含む。
【００２７】
この構成は、グリッドにもゴム材料にも装飾品を入れ易くする鋭い先端をもたらし、また、装飾品が一旦ゴム材料に通されると力が掛けられない限り所定位置に留まることを確実にするので、特に有利である。このバーブは、さらに、アイテムが装着されている間に装飾品が非意図的に取り外されることを防ぐように、保護レベルを追加する。
【００２８】
さらなる従属的な一態様において、弾性材料は、粘弾性材料を含む。
【００２９】
この構造は、装飾品がピンが把持されるように層内にしっかりと留まりしたがってそれ自体の重さにより抜け落ちることのない、装飾要素の重さを考慮した十分な支えとなり得る十分な摩擦をもたらす理想的な材料であることから、特に有利である。材料は、さらに、プロの宝石職人の必要をなくして、または宝飾品の変更および石の再配置に通常必要とされるタイプの難しく面倒な方法によってではなく、宝飾品の所有者が装飾品を簡単に挿入し取り外すことができるのに十分な可撓性をもたらす。
【００３０】
さらなる従属的な一態様において、アイテムは、アイテムの最下端に対して異なる高さに配置される複数のグリッドを含む。
【００３１】
この構成は、装飾品を挿入することができる異なる高さをもたらし、また、宝飾品アイテムに対して深さ（ｄｅｐｔｈ）の要素を追加し、完全に平坦な面よりも美的に望ましいだけでなく、全体的な構造をより頑強にすることができるので、特に有利である。
【００３２】
さらなる従属的な一態様において、前記グリッドは、ドーム形である。
【００３３】
この構成は、イヤリングおよび指輪などの宝飾品ピースに特に望まれる、宝飾品アイテムに対して深さの要素も追加するので、特に有利である。
【００３４】
さらなる広範な独立態様において、本発明は、複数の装飾品格納位置を含むカスタマイズ可能な宝飾品アイテムを提供する。装飾品格納位置は、装飾品のピンを受容し保持するための取り付け手段をそれぞれ有する。
【００３５】
従属的な一態様において、取り付け手段は、ピンを取り外し可能に保持する。
【００３６】
さらなる従属的な一態様において、取り付け手段は、機械的および／または磁気的な取り付け手段を含む。
【００３７】
さらなる従属的な一態様において、取り付け手段は、摩擦嵌合、締り嵌め、圧入、スナップ嵌合、螺合、キャッチおよび／または磁石によって、ピンを保持する。
【００３８】
さらなる従属的な一態様において、取り付け手段は、摩擦によってピンを保持する。
【００３９】
さらなる従属的な一態様において、取り付け手段は、弾性材料を含む。ピンは、弾性材料に挿入されると、ピンと弾性材料との間の摩擦接触によって保持される。
【００４０】
さらなる従属的な一態様において、弾性材料は、ポリマー材料を含む。
【００４１】
さらなる従属的な一態様において、弾性材料は、粘弾性材料を含む。
【００４２】
さらなる従属的な一態様において、アイテムは、装飾品格納位置をそれぞれ画定する複数の開口を有する上側グリルをさらに含む。
【００４３】
さらなる従属的な一態様において、開口の形状は、互いに碁盤の目状である。
【００４４】
さらなる従属的な一態様において、開口の形状は、互いに同じである。
【００４５】
さらなる従属的な一態様において、各開口の形状は、ほぼ円形、ほぼ三角形、ほぼ正方形、ほぼ五角形、またはほぼ六角形である。
【００４６】
さらなる従属的な一態様において、アイテムは、１つまたは複数のハート形開口、花形開口および楕円の花びらの形の開口を組み込むことができる。
【００４７】
さらなる従属的な一態様において、外壁自体は、ハート形、花形、頭蓋骨形または十字形を有することができる。
【００４８】
さらなる従属的な一態様において、アイテムは、複数の装飾品格納位置を実質的に囲繞する直立した外縁壁を含む。
【００４９】
さらなる従属的な一態様において、アイテムは、指輪、イヤリング、ネックレス、ペンダント、ブレスレット、アンクレット、アームレット、カフスリンク、ボディーピアス宝飾品アイテム、装飾的な頭飾りアイテム、ヘアアクセサリー、時計、時計のストラップまたはブローチである。
【００５０】
さらなる独立的な一態様において、本発明は、実質的に、添付の図面を参照して本明細書において前述したようなカスタマイズ可能な宝飾品アイテムを提供する。
【００５１】
さらなる従属的な一態様において、本発明は、アイテムに挿入される複数の装飾品と組み合わせた、先述の態様におけるカスタマイズ可能な宝飾品アイテムを提供する。
【００５２】
さらなる従属的な一態様において、アイテムは、複数の装飾品格納位置を含む。装飾品格納位置は、装飾品の突出部を受容し保持するための取り付け手段をそれぞれ有する。
【００５３】
さらなる従属的な一態様において、取り付け手段は、突出部を取り外し可能に保持する。
【００５４】
さらなる従属的な一態様において、突出部は、１つまたは複数の細長い部材を含む。
【００５５】
さらなる従属的な一態様において、取り付け手段は、機械的および／または磁気的な取り付け手段を含む。
【００５６】
さらなる従属的な一態様において、取り付け手段は、摩擦嵌合、締り嵌め、圧入、スナップ嵌合、ねじ、キャッチおよび／または磁石によって、突出部を保持する。
【００５７】
さらなる従属的な一態様において、取り付け手段は、摩擦によって突出部を保持する。
【００５８】
さらなる従属的な一態様において、取り付け手段は、弾性材料を含む。突出部は、弾性材料に挿入されると、突出部と弾性材料との間の摩擦接触によって保持される。
【００５９】
さらなる従属的な一態様において、弾性材料は、ポリマー材料を含む。
【００６０】
さらなる従属的な一態様において、弾性材料は、粘弾性材料を含む。一代替実施形態において、弾性材料は、金属を含む。
【００６１】
さらなる従属的な一態様において、アイテムは、装飾品格納位置をそれぞれ画定する複数の開口をそれぞれ有する１つまたは複数の上側グリルをさらに含む。
【００６２】
さらなる従属的な一態様において、開口の形状は、互いに碁盤の目状である。
【００６３】
さらなる従属的な一態様において、開口の形状は、互いに同じである。
【００６４】
さらなる従属的な一態様において、各開口の形状は、ほぼ円形、ほぼ三角形、ほぼ正方形、ほぼ五角形、またはほぼ六角形である。
【００６５】
さらなる従属的な一態様において、アイテムは、複数の装飾品格納位置を実質的に囲繞する外縁壁を含む。
【００６６】
さらなる従属的な一態様において、アイテムは、指輪、イヤリング、ネックレス、ペンダント、ブレスレット、アンクレット、アームレット、カフスリンク、時計、タイピンまたはタイディップ（ｔｉｅ  ｄｉｐ）、ボディーピアス宝飾品アイテム、装飾的な頭飾りアイテム、ヘアアクセサリーまたはブローチである。
【００６７】
したがって、本発明の一態様によれば、装飾品のピンを受容し保持する取り付け手段をそれぞれ有する複数の装飾品格納位置を含む、カスタマイズ可能な宝飾品アイテムが提供される。
【００６８】
理解されるように、本発明は、技術のない個人によって簡単にカスタマイズ可能なユニークな宝飾品アイテムを提供することができる。具体的には、宝飾品アイテムは、例えばユニークな装飾品のパターンを作り上げるように、選択した装飾品のピンの自由端をそれぞれの装飾品格納位置にある取り付け手段に単に挿入するまたは押し入れることで組み立てることができる。
【００６９】
取り付け手段は、好ましくは、装飾品のピンを軸方向に受容するおよび／または軸方向に保持する。理解されるように、ここで問題となる軸とは、ピンの長手方向軸である。取り付け手段は、さらに、好ましくは装飾品が横に変位されないように、ピンを横方向に保持することが好ましい。特に好ましい実施形態において、取り付け手段は、好ましくはピンが軸方向に後で取り外され得るように、ピンを取り外し可能に保持する。これらの実施形態は、技術のない個人が簡単に組み付けるおよび／または繰り返し変えることができる宝飾品アイテムを提供する。理解されるように、ピンの取り外しに必要な技術または力は、好ましくは、装飾品がそれ自体の重さでアイテムから抜け落ちないほどのものである。
【００７０】
好ましい実施形態では、取り付け手段は、機械的および／または磁気的な取り付け手段を含む。例えば、取り付け手段は、摩擦嵌合、締り嵌め、圧入、スナップ嵌合、螺合、キャッチおよび／または磁石によって、ピンを保持することができる。ピンのシャフトは、摩擦の程度を上げる、またはピンと取り付け手段との間にバックロック作用をもたらす、突起および／または刻み目を含むことができる。特に好ましい実施形態において、取り付け手段は、摩擦によって、好ましくは摩擦だけで、ピンを保持する。例えば、取り付け手段は、（大きな弾性材料を含むことができ、ピンは、この弾性材料に挿入されると、ピンと弾性材料との間の摩擦接触によって保持される。弾性材料は、ポリマー材料および／または粘弾性材料を含むことができる。例えば、弾性材料は、天然ゴムまたは合成ゴムなどのエラストマーを含むことができる。これらの実施形態は、コストが低く製造が簡単であり、特に、技術のない個人にとってカスタマイズし易いとされている。
【００７１】
好ましい実施形態では、宝飾品アイテムは、装飾品格納位置をそれぞれ画定する複数の開口を有する上側グリルをさらに含む。各開口は、好ましくは、装飾品のピンを受容するように配置される。上側グリルは、上述した弾性材料に隣接して（例えばその上方または上に）もたらされ得る。上側グリルは、例えば、金属またはプラスチック材料を含むことができる。上側グリルの開口における形状は、互いに碁盤の目状であってよく、および／または互いに同じであってよい。各開口の形状は、ほぼ円形、ほぼ三角形、ほぼ正方形、ほぼ五角形、またはほぼ六角形であってよい。これらの実施形態は、装飾品を配置すること、および／または装飾品を互いに対して適切に間隔を置いて配置することを助けることができる。
【００７２】
好ましい実施形態では、宝飾品アイテムは、複数の装飾品格納位置を実質的に囲繞する直立した外縁壁を含む。この壁は、装飾品を損傷から守ることができ、および／または装飾品が変位するのを防ぐことができる。
【００７３】
宝飾品アイテムは、任意の所望のまたは適当な形態をとることができる。例えば、アイテムは、指輪、イヤリング、ネックレス、ペンダント、ブレスレット、アンクレット、アームレット、カフスリンク、ボディーピアス宝飾品アイテム、装飾的な頭飾りアイテム（例えば、ティアラ）、ヘアアクセサリー（例えば、ヘアディップ（ｈａｉｒ  ｄｉｐ）またはヘアバンド）、またはブローチであってよい。宝飾品アイテムの主な、すなわち「カスタマイズ不可能な」本体は、例えば、（希少価値の高いまたはいくぶん希少価値の高い）金属材料またはプラスチック材料を含むことができる。
【００７４】
好ましい実施形態では、アイテムは、手指または足指を受容するためのバンドを含む指輪である。複数の装飾品格納位置を含むカスタマイズ可能な領域は、好ましくは、バンドに取り付けられる。
【００７５】
いくつかの実施形態では、宝飾品アイテムは、好ましくは、アイテムに挿入するための複数の装飾品とは別個にもたらされ得る。他の実施形態では、宝飾品アイテムは、アイテムに挿入される複数の装飾品と組み合わせてもたらされ得る。各装飾品は、好ましくは、ピンの一方端に取り付けられる装飾要素を含み、ピンの他方（自由）端は、取り付け手段によって受容される。装飾要素は、金属材料、プラスチック材料、および／または１つもしくは複数の宝石、ジェムストーン、スパンコールなどを含むことができる。装飾要素は、貴石もしくは半貴石であってもよく、または貴石もしくは半貴石のイミテーションの装飾要素であってもよい。
【００７６】
次に、単なる一例として、添付の図面を参照して本発明の一実施形態を詳細に述べる。
【図面の簡単な説明】
【００７７】
【図１】本発明の一実施形態による宝飾品アイテムの斜視図である。
【図２】図１の宝飾品アイテムの平面図である。
【図３】図１の宝飾品アイテムの第１の側面図である。
【図４】図１の宝飾品アイテムの第２の側面図である。
【図５】本発明の別個になった構成要素の斜視図である。
【図６Ａ】本発明の一実施形態の斜視図である。
【図６Ｂ】本発明の一実施形態の斜視図である。
【図７】図６の実施形態の切り欠き断面図である。
【図８】本発明のドーム形実施形態の断面斜視図である。
【図９Ａ−９Ｂ】装飾品の一実施形態のクローズアップ斜視図である。
【図９Ｃ】装飾品の一実施形態の側面図である。
【図１０】一実施形態による宝飾品アイテムの斜視図である。
【図１１】本発明の一代替実施形態の側面図である。
【図１２】図１１の本発明の実施形態の斜視図である。
【図１３Ａ−１３Ｃ】本発明の一実施形態の異なるデザインの斜視図である。
【発明を実施するための形態】
【００７８】
図面は、カスタマイズ可能な宝飾品アイテムの様々な図を示している。図１〜図４には、指輪１０の形態のアイテムが示されている。指輪１０は、指を受けるための開口１４を画定する金属バンド１２を含む。指輪１０は、金属の直立した外縁壁１６によって囲繞されるカスタマイズ可能領域をさらに含む。壁１６の内側には、碁盤目状になった複数の六角形開口２０をもたらす、以降「上側グリル」１８と称される、グリッド１８の形態の金属プレートがある。このように、金属の上側グリル１８および開口２０は、相互連結するウェブ格子を形成する。
【００７９】
明確にするために、図面には、開口２０のうちの１つだけが示されている。各開口２０は、装飾品２２をそれぞれ受容するための格納位置を画定する。図１には、例示的な装飾品２２が１つしか示されていないが、宝飾品アイテムを完全に組み立てるために、いくつかの同様の装飾品がもたらされると理解されよう（図９Ａ〜図９Ｃ）。この実施形態では、各装飾品２２は、ピン２６の一方端に取り付けられる半貴石の宝石の形態の装飾要素２４を含む。ピン２６の他方の自由端は、矢印の方向に、開口２０から挿入される。上側グリル１８のすぐ下には、装飾品２２のピン２６を軸方向に受容し摩擦だけでピン２６を取り外し可能に保持する、ゴム材料２８のブロック（図５〜８）がもたらされる。指輪１０は、いくつかの他の装飾品２２のピン２６を開口２０からゴム材料２８に押し入れることによってカスタマイズすることができる。ゴム材料２８の弾力性および粘弾性によって、装飾品２２を取り外して変えるまたは再配置することにより指輪１０の外観を繰り返し変更することが確実になる。
【００８０】
図５〜図８には、ゴム材料２８が明確に示されている。ゴム材料の性質によって、ピン２６は、摩擦によって所定位置にしっかりと保持され得、動くことはない。しかし、ゴム材料は、プロの宝石職人の必要をなくして、消費者がピンを簡単に挿入し取り外すことができるのに十分な可撓性も有する。
【００８１】
図５には、アイテムの構成要素（上側グリル１８、ゴム２８、下側グリル１９およびバッキングプレート３２）を壁１６の内側で一緒に積み重ねる方法が示されている。壁１６は、内側レッジ１７を有し、その中に上側グリル１８がしっかりと置かれて外壁１６の内側に保持される。この実施形態では、上側グリル１８は、この例では円形である、複数の予め決められた開口２０を含むが、開口は、様々な形状（図１３Ａ〜図１３Ｃ）であってよいと理解されたい。ゴム材料は、外壁１６の内側の上側グリル１８の下に挿入される。ゴム材料２８の層は、好ましくは、厚さ３ｍｍ〜４ｍｍであり、上側グリル１８の開口２０と整列するように対応する、層全体にわたって分配される所定の長手方向孔３０を含む。図面には、これらの孔３０のうちの１つしか示されていない。ゴム層２８は、バッキングプレート３２に達するまでゴムを通って全体的に挿入可能なピン２６のバーブ部２５（図１および図９）を受容することができる。ゴム材料の目的は、装飾品が簡単に取り外し可能に所定位置に固定されるように、装飾品のバーブを受容することである。追加のバッキングプレート３２は、装飾品２２のピン２６のバーブ２５の先端が上に載る、追加の保持手段をもたらすクロージャディスクをもたらす。
【００８２】
追加の一実施形態では、宝飾品アイテムは、さらに、予め決められた開口２１を有することができゴム層２８とバッキングプレート３２との間に固定され得る、下側グリル１９を含むことができる。この実施形態では、本質的に１つのゴム層が、上側グリル１８と下側グリル１９との間に「挟まれる」ことになる。この実施形態では、装飾品２２は、反対に配置される上側グリル１８と下側グリル１９のどちらにも挿入され得る。
【００８３】
さらなる一実施形態では、バッキングプレート３２自体がゴム層２８に固定され得る。さらなる一実施形態では、装飾品２２をアイテムの両側に固定可能にするために、バッキングプレート３２に、下側グリル１９の図示されるような類の開口を組み込むことができる。好ましい実施形態では、下側グリル１９かバッキングプレート３２のどちらかは、ゴム層２８を所定位置に保持するのに使用することができる。いくつかの実施形態では、下側グリル１９が開口２１を備える場合、装飾品２２の一部分は、下側グリル１９の下に突出することができる。他の実施形態は、さらに、上側グリル１８または下側グリル１９とゴム層２８との間に接着剤または接着層を含むことができる。
【００８４】
さらなる一実施形態では、フレーム外壁１６の内面には、１つまたは複数の小さな非常に低い突起またはタブがあってよい。これらは、（下側グリルが使用される場合の実施形態ではゴムの下のグリルである）下側グリル１９のために必要な最終位置のちょうど上にあってよい。これらの突起またはタブ（図示せず）は、壁の内面上にそれぞれあってよく、または外壁１６の内面の周囲の周りに間隔を置いて配置されてもよい。タブを用いる場合、タブは、下側グリル１９が上方に動くのを止めることができ、また、不均一な位置決め、ゴム層２８の圧縮、グリルの傾斜、または他の望ましくない動きを止める土台をもたらすことができる。上側グリル１８は、製造における組み立てのとき、有利には、取り外されるその縁に適合する小さな切り欠き形状を有してよく、それによって、上側グリル１８が宝飾品アイテムのフレームの開いた背面から挿入されるときに、突出した「タブ」を通り過ぎることが可能になる。
【００８５】
上側グリル１８が下側グリル１９に比べてより小さな直径を有するまたは寸法減少領域を有するさらなる一実施形態では、外壁１６も、下側グリル１９の上方に、より小さな直径または寸法減少領域を有することができ、それによって、上側グリル１８は、それ自体が下側グリル１９よりも小さな直径であるにもかかわらず、しっかりと固定され得るようになる。その場合、タブ、溶接部、バッキングプレートなどの締結手段によって下側グリル１８を外壁に固定するだけで充分である。
【００８６】
完全に組み立てると、図５の構成要素は、図６〜図８に示されるような層状アイテムを形成する。図６は、装飾品２２が充填された上側グリル１８の上面からの斜視図である。図７は、上側グリル１８内における図６の配置の装飾品２の断面図である。この図において、装飾品２２が上側グリル１８とゴム層２８の両方を通ってどのようにして延びているかをはっきりと見ることができる。装飾要素２４は、壁１６の内側の上側グリル１８上に載る。バーブ２５は、尖った先端がバッキングプレート３２上に載るかたちで、ゴム層２８を通って全体的に挿入されていることが見られる。バッキングプレート３２は、バーブが必要以上に遠くまで行かないようにする。ゴム層２８は、摩擦によって装飾品を保持する。ピン２６の残りの部分は、上側グリル１８の開口２０とゴム層２８の孔３０の両方を完全に貫通して延びることがわかる。
【００８７】
図８には、グリル１８自体がドーム形状である、本発明の一代替実施形態が示されている。この実施形態では、材料は、さらに、可撓性の種類のものとなることが考えられる。装飾品２２は、図７の前述の実施形態と同じ形態で上側グリル１８内に配置され、ピン２６およびバーブ２５が、上側グリルの開口２０を通りゴム２８の孔３０を通って延びてからバッキングプレート３２に達する。この実施形態では、各層は、上側グリル１８のドームの湾曲に追従する。
【００８８】
装飾品２２の実施形態の明確なイメージは、図９Ａ〜図９Ｃに示されている。装飾品２２は、ピン２６に取り付けられる装飾要素２４を含む。ピン２６は、ピンのシャフトの端に、バーブ部２５を有する。軸は、上側グリル１ａに設けられた開口２０のサイズに好ましくは正確に対応する、直径増大領域を有する。直径増大領域は、さらに、宝飾品アイテムへの挿入および取り外しに耐えるのに適したより頑強な構造をもたらす。装飾要素２４は、希少価値の高いジェムストーン、造形石（ｓｈａｐｅｄ  ｓｔｏｎｅ）、装飾用宝石および任意の適切な特徴を含む、任意の種類のものであってよい。ピン２６の軸は、バーブ２５であってもよく、任意の円柱形のものであってもよい。図９Ｃは、ピン２６が全長にわたって同一円周を有し、装飾要素２４が隆起したジェムストーンを有する、装飾品２２の一実施形態の簡素化した側面図である。
【００８９】
バーブ２５は、上部の上側グリル１８に取り外し可能に挿入されることになるが、この場合バーブ部２５が下にあるゴム材料層２８に完全に挿入され、装飾品２２の装飾要素２４が依然として外壁１６の内側に収容された状態で上側グリル１８の上に留まる。
【００９０】
完全に構成済みのアイテムが、適当な取り付け手段によって指輪またはイヤリングなどの宝飾品アイテムに取り付けられることが考えられる。図１０には、アイテムがループ状結合部３４によって指輪に成形されている一実施形態が示されている。代替実施形態では、ペンダント、ブローチ、イヤリング、ネックレス、ブレスレットまたは任意の適当な宝飾品アイテムに取り付けられ得る。図１０の取り付け手段は、指輪１２のフレームに結合されるループ３４であるが、クラスプもしくはフック締結具などの代替取り付け手段、または恒久的な取り付け手段が考えられる（図１１）。
【００９１】
使用において、宝飾品のピースの所有者は、１つだけの上側グリル１８と、特定の上側グリル１８内に嵌合する種類の、自分が選ぶ複数の多数の装飾品２２を手に入れることができる。装飾品２２は、様々な装飾要素２４であってよい。所有者は、自分で選び自らのタイミングで、それらの装飾品を上側グリル１８に取り外し可能に挿入することができる。ゴム層２８が粘弾性材料であることにより、装飾品２２の挿入および取り外しが簡単かつ単純であるため、プロの宝石職人は必要ない。上側グリル１８には、完全にまたは部分的に、いつでも装飾品２２を入れることができる。装飾品２２を挿入するには、装飾品２２のピン２６を、上側グリル１８の開口２０のいずれかに、まずバーブが入り、ゴム層２８全体を通ってバーブ２５の先端がバッキングプレート３２に達するまで挿入する。ゴム材料２８は、必要に応じて様々な位置および角度を可能にするように、上側グリル１８の開口２０の数を上回る数の孔３０を含む。しかし、すべての孔３０は、開口２０に対応し、それと整列することができる。所定位置につくと、装飾品２２は、ゴム層２８、外壁１６およびバッキングプレート３２によって固定される。図６に示されるように、壁１６は、装飾要素２４に対する追加の保護をもたらすように装飾要素２４よりも上まで延びることができる、または、図８に示されるように、装飾要素２４が壁１６よりも上に延びる上側グリル１８に載ることができる。代替実施形態は、使用者に選択の自由をもたらすと考えられる。
【００９２】
装飾品２２を取り外して他のものと取り替えるには、単に装飾品２２を把持してゴム層２８と上側グリル１８から持ち上げる。これは、粘弾性材料および開口により可能である。１つの装飾品２２を取り外すことで、代替の装飾品をその所定位置に置くことができる、または、開口２０を空のままにしておくこともできる。ゴム層２８は、バーブ２５によって引き起こされる損傷または引き裂きを受けたら、いずれかの時点で取り替えることができることも考えられる。
【００９３】
一代替実施形態では、壁１６の内側レッジ１７は、上側グリル１８が挿入される溝または刻み目である。一代替実施形態では、フランジを含み、これによって上側グリル１８を所定位置に保持するために固定を向上させる。さらに、壁１６は、任意の二次元形状であってよいと理解されたい。例えば、図１３Ａ〜図１３Ｃにそれぞれ示されるように、半円形、ハート形、蝶形である。
【００９４】
さらなる一代替実施形態では、アイテムの最下端に対して異なる高さに配置される複数の上側グリル１８があってもよい。この実施形態は、図１１および図１２において見ることができる。この実施形態では、各層自体が、上側グリル１８とゴム層２８とを有する。図１１は、この実施形態の側面図であり、図１２は、指輪１２の形態のこの実施形態を示している。
【００９５】
図１３は、先述したように、壁１６、ならびに上側グリル１８および開口２０の両方の代替デザインを示している。これらの実施形態では、装飾品２２は、適当に嵌合するように修正されることになる。
【００９６】
さらなる一代替実施形態では、ゴム材料２８は、フォームを含む任意の他の適当な材料であってよい。好ましい実施形態では、ゴム層は、上述したように、３〜４ｍｍであるが、特に上側グリル１８の開口２０の厚さが２．５ｍｍよりも大きい実施形態については、ゴム層の厚さが２ｍｍ未満に過ぎない代替実施形態が考えられる。
【００９７】
さらなる一実施形態では、装飾品２２は、装飾品２２の列を作るために、開口２０の予め決められた単一の列の周りに形作られるフレームに挿入され得る。
【００９８】
さらなる一実施形態では、一対の平行な列になった開口がもたらされ得る。
【００９９】
さらなる一実施形態では、アイテムは、球体の一部であるグリル、または先述した類の開口を含む薄い金属板による中空形状のグリルを組み込むことができる。この場合、この類のグリルによって形成される空洞には、装飾品２２の受容を容易にするために、ゴムまたは他の適切な材料が充填され得る。
【０１００】
さらなる一実施形態では、ゴム層２８が上側グリル１８の下で動き、それも横方向に動くのを防ぐように、前述した実施形態のいずれかにおいて締結要素がもたらされ得る。それによってゴム層２８の孔３０がグリル１８の開口２０と整列しなくなる。好ましい一実施形態では、好ましくは上側グリル１８の一部として、上側グリル１８の下に取り付けられて下方に延びる１つまたは複数のペグが組み込まれ得る。ペグは、上側グリル１８と一体であってよく、鋳造によって作られ得る。ペグは、上側グリル１８から延びるのではなく、ゴム層２８における予め決められた孔であってもよく、または下側グリル１９から上に向かっていてもよい。
【図１】
2018509271.tif 000003
【図２】
2018509271.tif 000004
【図３】
2018509271.tif 000005
【図４】
2018509271.tif 000006
【図５】
2018509271.tif 000007
【図６Ａ】
2018509271.tif 000008
【図６Ｂ】
2018509271.tif 000009
【図７】
2018509271.tif 000010
【図８】
2018509271.tif 000011
【図９Ａ】
2018509271.tif 000012
【図９Ｂ】
2018509271.tif 000013
【図９Ｃ】
2018509271.tif 000014
【図１０】
2018509271.tif 000015
【図１１】
2018509271.tif 000016
【図１２】
2018509271.tif 000017
【図１３Ａ】
2018509271.tif 000018
【図１３Ｂ】
2018509271.tif 000019
【図１３Ｃ】
2018509271.tif 000020
【国際調査報告】
2018509271.tif 000021
2018509271.tif 000022